(57)【要約】【課題】記録媒体が挿入されてから初期設定処理が終了するまでの時間を短縮することが可能な記録再生装置および記録再生装置における初期設定方法を提供する。【解決手段】複数種類の記録媒体に記録されたデータを再生し、複数種類の記録媒体にデータを記録可能な記録再生装置１であって、複数種類の記録媒体のそれぞれに応じてレーザ光を発する複数種類のレーザ光源１１と、前回使用された記録媒体の記録媒体認識情報が記憶されたメモリ２３と、複数種類のレーザ光源１１を制御する制御手段２１と、を有し、制御手段２１は、メモリ２３から読取られた記録媒体認識情報に基づいて新たな記録媒体２を前回使用された記録媒体と同種の記録媒体と確定し、確定結果に基づいて前記新たな記録媒体のコントロールデータ又はウォブルデータを確認し、新たな記録媒体２の認識に失敗した場合に、新たに記録媒体認識処理を開始し、新たな記録媒体２の認識に成功した場合に、初期設定処理を終了する初期設定手段を有している記録再生装置。【選択図】図２
2009087438.tif 000002
【特許請求の範囲】
【請求項１】
複数種類の記録媒体に記録されたデータを再生し、前記複数種類の記録媒体にデータを記録可能な記録再生装置であって、
前記複数種類の記録媒体のそれぞれに応じてレーザ光を発する複数種類のレーザ光源と、
前回使用された記録媒体の記録媒体認識情報が記憶されたメモリと、
前記複数種類のレーザ光源を制御する制御手段と、を有し、
前記制御手段は、前記メモリから読取られた前記記録媒体認識情報に基づいて新たな記録媒体を前記前回使用された記録媒体と同種の記録媒体と確定し、確定結果に基づいて前記新たな記録媒体のコントロールデータ又はウォブルデータを確認し、前記新たな記録媒体の認識に失敗した場合に、新たに記録媒体認識処理を開始し、前記新たな記録媒体の認識に成功した場合に、初期設定処理を終了する初期設定手段を有している記録再生装置。
【請求項２】
前記初期設定手段は、前記前回の記録媒体認識情報から前回使用された記録媒体がＨＤ ＤＶＤであると判断された場合に、前記新たな記録媒体の確定を行わずに新たに記録媒体判別処理を行う手段である請求項１記載の記録再生装置。
【請求項３】
前記記録媒体認識情報は、記録媒体のフォーマット判別情報、記録媒体のコントロールデータに含まれるＩＤ情報、および記録媒体のウォブル情報を含む請求項１記載の記録再生装置。
【請求項４】
複数種類の記録媒体に記録されたデータを再生し、前記複数種類の記録媒体にデータを記録可能な記録再生装置における初期設定方法であって、
メモリから前回使用された記録媒体の記録媒体認識情報を読取る読取ステップと、
前記記録媒体認識情報に基づいて新たな記録媒体を前記前回使用された記録媒体と同種の記録媒体であると確定する確定ステップと、
前記確定ステップにおける確定結果に基づいて、前記新たな記録媒体のコントロールデータ又はウォブルデータを確認する確認ステップと、を有し、
前記確認ステップにおいて前記新たな記録媒体の認識に失敗した場合に、新たに記録媒体認識処理を開始し、
前記確認ステップにおいて前記新たな記録媒体の認識に成功した場合に、初期設定処理を終了する初期設定方法。
【請求項５】
前記前回の記録媒体認識情報から、前回の記録媒体がＨＤ ＤＶＤであるか否かを判断する判断ステップをさらに有し、
前記判断ステップにおいて、前記記録媒体がＨＤ ＤＶＤであると判断された場合に、記録媒体の確定を行わずに新たに記録媒体判別処理を行い、
前記判断ステップにおいて、前記記録媒体がＨＤ ＤＶＤでないと判断された場合に、前記確定ステップを行う請求項４記載の初期設定方法。
【請求項６】
前記確定ステップは、前記前回の記録媒体認識情報の記録媒体フォーマット情報を用いて、記録媒体のフォーマットを確定するフォーマット確定ステップを有する請求項４記載の初期設定方法。
【発明の詳細な説明】
【技術分野】
【０００１】
本発明は、記録再生装置、および、記録再生装置における初期設定方法に関する。
【背景技術】
【０００２】
デジタル映像を蓄積可能な記録媒体として、ＣＤ（Compact Disc）系、ＤＶＤ（Digital Versatile Disk）系、またはＨＤ ＤＶＤ(High Definition Digital Versatile Disk)系の再生専用あるいは記録型光ディスクが用いられている。
【０００３】
例えばＤＶＤ系の記録媒体では、再生専用型のＤＶＤ−Ｖｉｄｅｏ、ＤＶＤ−ＲＯＭ(Read Only Memory)、記録型のＤＶＤ−Ｒ（Recordable）／ＲＷ（Rewritable）／ＲＡＭ（Random Access Memory）等がある。
【０００４】
記録再生装置にこれらの記録媒体が挿入されると、記録再生装置は挿入された記録媒体を認識するために初期設定処理を行う。この初期設定処理では、挿入された記録媒体が、ＣＤ系であるか、ＤＶＤ系又はＨＤ ＤＶＤ系であるのかを判断し、ＣＤ系である場合には、さらにＣＤ ROMであるのかＣＤ Ｒ／ＲＷであるのかを判断する。ＤＶＤ系又はＨＤ ＤＶＤ系である場合には、さらにＤＶＤ ＲＡＭであるのか、ＨＤ ＤＶＤ系であるのか等を判断する。
【０００５】
従来、前回の再生時におけるディスクのフォーマットを記憶手段に記憶しておき、記憶されたフォーマットに応じて所定の動作でフォーマットの判別動作を行なう再生装置が提案されている（特許文献１参照）。
【特許文献１】特開２００４−１７１６１２号公報
【発明の開示】
【発明が解決しようとする課題】
【０００６】
しかし、上記の再生装置の場合には、記録可能な記録媒体が使用された際に初期設定処理をすることができなかった。また、ＨＤ ＤＶＤ系の記録媒体の場合には、初期設定処理の際にハイパワーレーザを照射するため、上記の再生装置のように前回のフォーマットに応じて判別動作を行うと、他の記録メディアの記録層障害を招く場合があった。
【０００７】
本発明は上記の問題点に鑑みて成されたものであって、複数種類の記録媒体への記録が可能な記録再生装置において、記録媒体が挿入されてから初期設定処理が終了するまでの時間を短縮することが可能な記録再生装置および記録再生装置における初期設定方法を提供することを目的とする。
【課題を解決するための手段】
【０００８】
本発明の第１態様に係る記録再生装置は、複数種類の記録媒体に記録されたデータを再生し、前記複数種類の記録媒体にデータを記録可能な記録再生装置であって、前記複数種類の記録媒体のそれぞれに応じてレーザ光を発する複数種類のレーザ光源と、前回使用された記録媒体の記録媒体認識情報が記憶されたメモリと、前記複数種類のレーザ光源を制御する制御手段と、を有し、前記制御手段は、前記メモリから読取られた前記記録媒体認識情報に基づいて新たな記録媒体を前記前回使用された記録媒体と同種の記録媒体と確定し、確定結果に基づいて前記新たな記録媒体のコントロールデータ又はウォブルデータを確認し、前記新たな記録媒体の認識に失敗した場合に、新たに記録媒体認識処理を開始し、前記新たな記録媒体の認識に成功した場合に、初期設定処理を終了する初期設定手段を有している。
【０００９】
本発明の第２態様に係る初期設定方法は、複数種類の記録媒体に記録されたデータを再生し、前記複数種類の記録媒体にデータを記録可能な記録再生装置における初期設定方法であって、メモリから前回使用された記録媒体の記録媒体認識情報を読取る読取ステップと、前記記録媒体認識情報に基づいて新たな記録媒体を前記前回使用された記録媒体と同種の記録媒体であると確定する確定ステップと、前記確定ステップにおける確定結果に基づいて、前記新たな記録媒体のコントロールデータ又はウォブルデータを確認する確認ステップと、を有し、前記確認ステップにおいて前記新たな記録媒体の認識に失敗した場合に、新たに記録媒体認識処理を開始し、前記確認ステップにおいて前記新たな記録媒体の認識に成功した場合に、初期設定処理を終了する。
【発明の効果】
【００１０】
本発明によれば、複数種類の記録媒体への記録が可能な記録再生装置において、記録媒体が挿入されてから初期設定処理が終了するまでの時間を短縮することが可能な記録再生装置および記録再生装置における初期設定方法を提供することができる。
【発明を実施するための最良の形態】
【００１１】
以下に、本発明の一実施形態に係る記録再生装置および記録再生装置における初期設定方法について図面を参照して説明する。図１は、本実施形態に係る記録再生装置の構成の一例を概略的に示すブロック図である。図１に示すように、本実施形態に係る記録再生装置は、記録媒体としての光ディスクに蓄積されたデータを再生、あるいは、光ディスクにデータを記録する光ディスク装置である。
【００１２】
光ディスク２には、ＣＤ（Compact Disc）系、ＤＶＤ（Digital Versatile Disk）系、またはＨＤ ＤＶＤ(High Definition Digital Versatile Disk)系の再生専用あるいは記録型光ディスクである。例えばＤＶＤ系では、再生専用型のＤＶＤ−Ｖｉｄｅｏ、ＤＶＤ−ＲＯＭ(Read Only Memory)、記録型のＤＶＤ−Ｒ（Recordable）／ＲＷ（Rewritable）／ＲＡＭ（Random Access Memory）等の複数種類の記録媒体が用いられる。光ディスク２はディスクモータ３によって回転駆動される。ディスクモータ３はディスクモータ制御回路４によって制御されている。
【００１３】
光ディスク２に対する情報の記録、再生する際には、光ピックアップ５から光ディスク２にレーザ光が照射される。光ピックアップ５には、対物レンズ６が設けられており、対物レンズ６はフォーカシングアクチュエータ７の駆動によりフォーカスシング方向（レンズの光軸方向）への移動が可能で、またトラッキングアクチュエータ８の駆動によりトラッキング方向（レンズの光軸と直交する方向で光ディスクの径方向）への移動が可能である。
【００１４】
変調回路９は、情報記録時にホスト装置２５からインターフェース回路２４を介して供給されるデータを変調し、変調されたデータをレーザ制御回路１０へ提供する。レーザ制御回路１０は情報記録時（マーク形成時）に、変調回路９から供給される変調されたデータに基づいて、書き込み用信号を光ピックアップ５内のレーザダイオード１１に供給する。
【００１５】
レーザダイオード１１は、波長が約７８０ｎｍ（nano meter）のＣＤ用のレーザダイオード１１ａ、波長は約６５０ｎｍのＤＶＤ用のレーザダイオード１１ｂ、波長が約４０５ｎｍのＨＤ ＤＶＤ用のレーザダイオード１１ｃがあり、光ディスク装置に装着された光ディスクの種類によって使い分けられ、レーザ制御回路１０から供給される信号に応じて選択されてレーザ光を出射する。
【００１６】
レーザダイオード１１から発せられるレーザ光は、光学部１２、対物レンズ６を介して光ディスク２上に照射される。レーザダイオード１１から発せられるレーザ光の光ディスク２からの反射光は、対物レンズ６、光学部１２を介して光検出器１３に導かれる。光検出器１３からの出力信号は、ＲＦアンプ１４へ供給される。
【００１７】
ＲＦアンプ１４は、光検出器１３からの検出信号を処理し、ジャストフォーカスからの誤差を示すフォーカス誤差信号（ＦＥ信号）、レーザ光のビームスポット中心とトラック中心との誤差を示すトラッキング誤差信号（ＴＥ信号）、および再生信号（ＲＦ信号）を生成し、生成されたＦＥ信号、ＴＥ信号、およびＲＦ信号をＡ／Ｄ変換器１５に供給する。ＲＦアンプ１４は、光検出器１３からの検出信号を処理する際、使用されるレーザダイオード１１の種類に応じて信号を生成する時のパラメータをそれぞれの適切な値に設定して上記信号を生成する。Ａ／Ｄ変換器１５から出力された信号はバス２０を介してＣＰＵ（Central Processing Unit）２１等に供給される。
【００１８】
フォーカス・トラッキング制御回路１６は、バス２０を介して供給されたＦＥ信号及びＴＥ信号に応じてフォーカス制御信号及びトラッキング制御信号を生成し、フォーカシングアクチュエータ７及びトラッキングアクチュエータ８に出力し対物レンズ６を駆動する。これにより、レーザ光が光ディスク２の情報記録面上に常時ジャストフォーカスとなるフォーカシングサーボ、及びレーザ光が光ディスク２上に形成されたトラック上を常にトレースするトラッキングサーボが行われる。
【００１９】
ＲＦ信号は、Ａ／Ｄ変換器１５でデジタル信号に変換されチャネルビットのデータとしてデータ再生回路１７に供給される。データ再生回路１７は、Ａ／Ｄ変換器１５から供給されたチャネルビットの信号とＰＬＬ（Phase Locked Loop）回路１８から供給される同期信号に基づいて再生信号を生成し、生成した再生信号を復号化し、バス２０を介してエラー訂正回路１９に出力する。ＰＬＬ回路１８は再生信号を生成する際に必要な同期信号を発生する回路である。データ再生回路１７で再生された再生データは、付与されているエラー訂正コードを用いてエラー訂正回路１９でエラー訂正を行った後、インターフェース回路２４を介してホスト装置２５に出力される。
【００２０】
ディスクモータ制御回路４、変調回路９，レーザ制御回路１０、Ａ／Ｄ変換器１５、フォーカス・トラッキング制御回路１６、データ再生回路１７、ＰＬＬ回路１８、エラー訂正回路１９等は、バス２０を介してＣＰＵ（Central Processing Unit）２１によって制御される。
【００２１】
ＣＰＵ２１はインターフェース回路２４を介してホスト装置２５から供給される動作コマンドに従って、この光ディスク装置１を総合的に制御する。また、ＣＰＵ２１は、ＲＡＭ（Random Access Memory）２２を記録再生時のバッファメモリ等の作業エリアとして使用し、ＲＯＭ（Read Only Memory）２３に記憶されたプログラムに従った所定の制御を行う。
【００２２】
本実施形態に係る光ディスク装置１では、ＲＯＭ（Read Only Memory）２３に、前回使用された光ディスク２のディスクフォーマット情報および初期設定情報が記憶されている。ディスクフォーマット情報および初期設定情報は、例えば、前回使用された光ディスク２の種類（ＣＤ系／ＤＶＤ系／ＨＤ ＤＶＤ系の再生または記録メディア）等の光ディスクフォーマット判別情報や、光ディスクのコントロールデータに含まれるＩＤ情報、および光ディスク２のウォブル情報等である。
【００２３】
以下に、上記の光ディスク装置１における初期設定方法について説明する。図２に示すように、光ディスク２が挿入されると、ＣＰＵ２１は、レーザ制御回路１０を制御して、光ピックアップ５のＤＶＤ用のレーザダイオード１１ｂを点灯させる（ステップＳＡ１）。そして、光ディスク２からの反射光から、光ディスク２の有無を判断し（ステップＳＡ２）、光ディスク２が有ると判断すると、ＲＯＭ２３に記憶されたディスクフォーマット情報および初期設定情報を読取る（ステップＳＡ３）。
【００２４】
次に、ＣＰＵ２１は、読取ったディスクフォーマット情報から前回使用された光ディスク２の種類がＨＤ ＤＶＤ系であるか否かを判断する（ステップＳＡ４）。ここで、前回使用された光ディスク２がＨＤ ＤＶＤ系でない場合には、ＣＰＵ２１は、ディスクフォーマット認識処理を行う（ステップＳＡ５）。
【００２５】
ディスクフォーマット認識処理とは、前回のディスクフォーマット情報および初期設定情報をもとに、光ディスク装置１上のセッティング（レーザダイオード１１の切替やファームウェアセッティング適用）を行う。このディスクフォーマット認識処理によって、光ディスク装置１が瞬時にディスク確定処理をすることができ、その結果、従来の初期設定処理に費やす時間と比較して初期設定処理時間を短縮することが可能となる。
【００２６】
ディスクフォーマット認識処理が終了すると、ＣＰＵ２１は新たな光ディスク２のディスクが前回使用された光ディスクと同じ種類の記録媒体であると確定する。（ステップＳＡ６）そして、ＣＰＵ２１は、上記の確定結果に応じて、新たな光ディスク２のコントロールデータおよびウォブルデータを確認する（ステップＳＡ１８）。
【００２７】
ＣＰＵ２１は、新たな光ディスク２が前回使用された光ディスクと同一種類の記録媒体であるものとして、光ディスク２のフォーマット情報、コントロールデータにあるＩＤ情報またはウォブルデータ等を判別することが出来た場合には、初期設定処理を終了する。
【００２８】
これにより、同じ光ディスクが繰り返し使われる場合には、フォーマット情報とコントロールデータにあるＩＤ情報または、光ディスクのウォブルデータを判別するルーチンをパスすることができ、光ディスク装置１における初期設定処理時間を短縮することができる。
【００２９】
また、ＣＰＵ２１は、新たな光ディスク２が前回使用された光ディスクと同一種類の記録媒体であるものとして、新たな光ディスク２のフォーマット情報、コントロールデータにあるＩＤ情報またはウォブルデータ等を判別することが出来なかった場合、および、ステップＳＡ４において前回使用された光ディスク２がＨＤ ＤＶＤ系であると判断された場合には、ＣＰＵ２１は、従来と同様に新たな光ディスク確定処理を開始する。
【００３０】
すなわち、ＣＰＵ２１は、挿入された光ディスク２が、ＣＤ系であるか、あるいはＤＶＤＶ系またはＨＤ ＤＶＤ系であるかを判断する（ステップＳＡ７）。ここで、挿入された光ディスク２がＣＤ系であると判断されると、ＣＰＵ２１は、光ピックアップ５の出力をＣＤ用のレーザ光とするために、レーザダイオード１１をＣＤ用のレーザダイオード１１ａに切替える（ステップＳＡ８）。
【００３１】
そして、ＣＰＵ２１は、挿入された光ディスク２が、ＣＤ−ＲＯＭであるか、あるいはＣＤ−Ｒ／ＲＷであるのか、あるいは、ＣＤ−Ｒ／ＲＷであるのかをさらに判断する（ステップＳＡ９）。ここで、光ディスク２がＣＤ−ＲＯＭであると判断されると、ＣＰＵ２１は、光ディスク２がＣＤ−ＲＯＭであると確定する（ステップＳＡ６）。
【００３２】
また、光ディスク２がＣＤ−Ｒ／ＲＷであると判断されると、ＣＰＵ２１は、光ディスク２がＣＤ−Ｒであるか、あるいは、ＣＤ−ＲＷであるのかをさらに判断する（ステップＳＡ１０）。ここで、ＣＰＵ２１は、光ディスク２がＣＤ−Ｒであると判断されると、ＣＰＵ２１は、光ディスク２がＣＤ−Ｒであると確定し、（ステップＳＡ６）光ディスク２がＣＲ−ＲＷであると判断されると、ＣＰＵ２１は、光ディスク２がＣＤ−ＲＷであると確定する（ステップＳＡ６）。
【００３３】
ステップＳＡ７において、光ディスク２がＤＶＤ系あるいはＨＤ ＤＶＤ系であると判断されると、ＣＰＵ２１は、光ディスク２がＤＶＤ−ＲＡＭであるか否かを判断する（ステップＳＡ１１）。ここで、光ディスク２がＤＶＤ−ＲＡＭであると判断されると、ＣＰＵ２１は、光ディスク２をＤＶＤ−ＲＡＭであると確定する（ステップＳＡ６）。
【００３４】
光ディスク２がＤＶＤ−ＲＡＭではないと判断されると、ＣＰＵ２１は、光ディスク２がＤＶＤ系であるのか、あるいは、ＨＤ ＤＶＤ系であるのかをさらに判断する（ステップＳＡ１２）。ここで、光ディスク２がＨＤ ＤＶＤ系であると判断されると、ＣＰＵ２１は、光ピックアップ５の出力をＨＤ ＤＶＤ用のレーザ光とするために、レーザダイオード１１をＨＤ ＤＶＤ用のレーザダイオード１１ｃに切替え（ステップＳＡ８）、青色のレーザ光が出力されるようにする（ステップＳＡ１３）。そして、ＣＰＵ２１は、光ディスク２がＨＤ ＤＶＤであると確定する（ステップＳＡ６）。
【００３５】
ステップＳＡ１２において、光ディスク２がＤＶＤ系であると判断されると、ＣＰＵ２１は、光ディスク２がＤＶＤ−ＲＯＭであるのか、あついは、ＤＶＤの記録系ディスクであるのかをさらに判断する（ステップＳＡ１４）。ここで、光ディスク２がＤＶＤ−ＲＯＭであると判断されると、ＣＰＵ２１は光ディスク２がＤＶＤ−ＲＯＭであると確定する（ステップＳＡ６）。
【００３６】
光ディスク２がＤＶＤの記録系ディスクであると判断されると、ＣＰＵ２１は、光ディスク２がＤＶＤ＋系であるのか、あるいはＤＶＤ−系であるのかをさらに判断する（ステップＳＡ１５）。ここで、光ディスク２がＤＶＤ＋系であると判断されると、ＣＰＵ２１は、光ディスク２がＤＶＤ＋ＲであるかＤＶＤ＋ＲＷであるのかをさらに判断する（ステップＳＡ１６）。ＣＰＵ２１は、光ディスク２がＤＶＤ＋Ｒであると判断されると、光ディスク２がＤＶＤ＋Ｒであると確定し（ステップＳＡ６）、光ディスク２がＤＶＤ＋ＲＷであると判断されると、光ディスク２がＤＶＤ＋ＲＷであると確定する（ステップＳＡ６）。
【００３７】
ステップＳＡ１５において、光ディスク２がＤＶＤ−系であると判断されると、ＣＰＵ２１は、光ディスク２がＤＶＤ−Ｒであるのか、あるいは、ＤＶＤ−ＲＷであるのかをさらに判断する（ステップ１７）。ＣＰＵ２１は、光ディスク２がＤＶＤ−Ｒであると判断されると、光ディスク２がＤＶＤ−Ｒであると確定し（ステップＳＡ６）、光ディスク２がＤＶＤ−ＲＷであると判断されると、光ディスク２がＤＶＤ−ＲＷであると確定する（ステップＳＡ６）。
【００３８】
上記のように、光ディスク２のディスクが確定されると、ＣＰＵ２１は、上記の確定結果に応じて光ディスク２のコントロールデータおよびウォブルデータを判別する（ステップ１８）。ＣＰＵ２１は、光ディスク２のフォーマット情報、コントロールデータにあるＩＤ情報またはウォブルデータ等を判別することが出来た場合には、初期設定処理を終了し、光ディスク２のフォーマット情報、コントロールデータにあるＩＤ情報またはウォブルデータ等を判別することが出来なかった場合には、ディスク認識エラーとして再び光ディスク確定処理を開始する。
【００３９】
なお、新たに光ディスク確定処理にて判別および確定されたディスクフォーマット情報、記録メディアのコントロールデータにあるＩＤ情報、または記録メディアのウォブル情報は、記録が可能な光ディスク装置１上のメモリ、例えば、ＲＯＭ２３上で書き換えられ、次の初期設定処理動作まで保管される。
【００４０】
上記のように初期設定処理を行うと、同じ光ディスクが繰り返し使われる場合にフォーマット情報とコントロールデータにあるＩＤ情報または記録メディアのウォブル情報を判別するルーチンをパスすることができ、光ディスク装置１における初期設定処理時間を短縮することができる。
【００４１】
すなわち、本実施形態に係る記録装置および記録装置における初期設定方法によれば、ＣＤ、ＤＶＤ、ＨＤ ＤＶＤ等の複数種類の記録媒体への記録が可能な記録再生装置において、記録媒体が挿入されてから初期設定処理が終了するまでの時間を短縮することが可能な記録再生装置および記録再生装置における初期設定方法を提供することができる。
【００４２】
特に、前回使用された記録媒体がＨＤ ＤＶＤの場合には、ＨＤ ＤＶＤ用などハイパワーレーザ照射による他記録メディアへの記録層障害を回避するため、ＲＯＭ２３に記憶されている前回のイニシャル情報が、記録メディアへの記録層障害を与えるおそれのあるディスクフォーマットである場合には、ディスク確定処理を行う前に従来のディスク判別ルーチンを優先させて行い、障害を回避することができる。
【００４３】
なお、この発明は、上記実施形態そのままに限定されるものではなく、実施段階ではその要旨を逸脱しない範囲で構成要素を変形して具体化できる。
【００４４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００４５】
【図１】本発明の一実施形態に係る記録再生装置の構成例を概略的に示すブロック図。
【図２】図１に示す記録再生装置における初期設定方法の一例を説明するためのフローチャート。
【符号の説明】
【００４６】
１…記録再生装置、２…記録媒体、１１…レーザ光源、２１…制御部（ＣＰＵ）２３…メモリ
【図１】
2009087438.tif 000003
【図２】
2009087438.tif 000004